(57)【要約】【課題】カメラ機能を持つ通信装置において、秘密情報を撮影するなど不正な撮影に使用されるおそれを低減しつつ、緊急時にはカメラ機能を使用可能とする。【解決手段】通信装置２において、災害判定手段４２は、受信した災害情報が特定の災害を示すか否かを判定する。モード設定部４４は、通常はカメラ機能による撮影が制限された制限モードに設定し、特定災害を示す災害情報を受信したときには撮影制限が解除された解除モードに切り替える。これにより、通常は不正なカメラ使用を抑制しつつ、災害発生時には、被災地域の状況を画像で記録したり、遠隔地での状況把握に活用できる。【選択図】図２
2014107830.tif 000002
【特許請求の範囲】
【請求項１】
通信回線を介して他の移動体通信装置および災害情報配信装置と通信する移動体通信機能を有する通信部と、
所定範囲を撮影して画像を取得し、当該画像を記録する撮影機能を有する画像取得部と、
通常は前記撮影機能が制限された制限モードに設定し、前記災害情報配信装置から災害情報を受信したとき当該制限が解除された解除モードに切り替えるモード設定部と、
を備えることを特徴とする通信装置。
【請求項２】
更に、前記受信した災害情報が前記制限の解除対象の特定災害を示す情報か否かを判定する災害判定部を有し、
前記モード設定部は、前記災害情報が前記災害判定部にて前記特定災害と判定されたとき前記制限モードから前記解除モードに切り替える、
請求項１に記載の通信装置。
【請求項３】
前記モード設定部は、前記解除モードに切り替えてから予め定めた所定時間が経過すると前記解除モードから前記制限モードへ切り替える、
請求項１又は２に記載の通信装置。
【請求項４】
更に、災害情報の内容に応じた所定時間を記憶する記憶部を有し、
前記モード設定部は、前記解除モードに切り替えてから、前記受信した災害情報の内容に応じた所定時間が経過すると前記解除モードから前記制限モードへ切り替える、
請求項３に記載の通信装置。
【請求項５】
前記通信部は、更に通信回線を介してセンタ装置と通信し、
前記モード設定部は、前記災害情報を受信して前記解除モードに設定するとともに前記センタ装置へ災害受信情報を送信し、前記センタ装置からモード復帰信号を受信すると前記解除モードから前記制限モードへ切り替える、
請求項１又は２に記載の通信装置。
【請求項６】
移動体通信機能を備えた通信装置と、前記通信装置と通信可能なセンタ装置とを含む通信システムにおいて、
前記通信装置は、
通信回線を介して前記センタ装置、他の移動体通信装置および災害情報配信装置と通信する通信機能を有する通信部と、
所定範囲を撮影して画像を取得し、当該画像を記録する撮影機能を有する画像取得部と、
通常は前記撮影機能が制限された制限モードに設定し、前記災害情報配信装置から災害情報を受信したとき当該制限が解除された解除モードに切り替えるとともに前記センタ装置へ災害受信情報を送信するモード設定部と、を備え、
前記センタ装置は、
前記通信回線を介して前記通信装置と通信する通信部と、
前記通信装置から前記災害受信情報を受信すると、当該通信装置を特定する装置情報を表示部に表示させる制御部と、
を備えることを特徴とする通信システム。
【請求項７】
移動体通信機能を備えた通信装置と、前記通信装置と通信可能なセンタ装置とを含む通信システムにおいて、
前記通信装置は、
通信回線を介して前記センタ装置および他の移動体通信装置と通信する通信機能を有する通信部と、
所定範囲を撮影して画像を取得し、当該画像を記録する撮影機能を有する画像取得部と、
通常は前記撮影機能が制限された制限モードに設定し、前記センタ装置からモード切替信号を受信したとき当該制限が解除された解除モードに切り替えるモード設定部と、を備え、
前記センタ装置は、
前記通信回線を介して前記通信装置および災害情報配信装置と通信する通信部と、
前記災害情報配信装置から災害情報を受信すると、当該災害情報が示すエリアに所在する前記通信装置に前記モード切替信号を送信する制御部と、
を備えることを特徴とする通信システム。
【請求項８】
撮影機能を有する撮像部および移動体通信機能を有する通信部を備えた通信装置に実行させるプログラムであって、
通信回線を介して災害情報配信装置から配信された災害情報を受信する処理と、
通常は前記撮影機能が制限された制限モードに設定し、前記災害情報配信装置から災害情報を受信したとき当該制限が解除された解除モードに切り替える処理と、
を少なくとも実行させることを特徴とする通信制御プログラム。
【請求項９】
撮影機能を有する撮像部および移動体通信機能を有する通信部を備えた通信装置における通信制御方法であって、
前記撮影機能が制限された制限モードと前記制限が解除された解除モードとを選択的に設定し、
通常は前記制限モードに設定し、通信回線を介して災害配信装置から災害情報を受信したとき前記制限モードから前記解除モードに切り替える、
ことを含むことを特徴とする通信制御方法。
【発明の詳細な説明】
【技術分野】
【０００１】
本発明は、移動体通信が可能な通信装置、通信装置と通信を行うセンタ装置を含んだ通信システム、通信制御プログラムおよび通信制御方法に関する。
【背景技術】
【０００２】
移動体通信により電話網やインターネットに接続可能な携帯型の電子機器（以下、「通信装置」と称する。）は、音声通話を可能とするだけでなく、ネットワーク上のコンピュータシステムにアクセスすることができ高い利便性を有する。それ故、企業などの組織において、外出して業務に従事する者に通信装置を携行させ、業務で必要な通信連絡や、企業の社内システム等へのアクセスや、情報閲覧に通信装置を利用させることが行われている。
【０００３】
しかしながら、利便性の反面、通信装置はセキュリティの確保が難しい。例えば、通信装置には、カメラ機能による撮影や、撮影した画像の外部ネットワークへの送信を行う機能が標準搭載されているものが多く、カメラ機能で書類などを撮影することにより、秘密情報などを不正に取得することが容易であり、秘密情報がネットワーク上に漏洩し易い。
【０００４】
そこで、通信装置に暗証番号・パスワードや指紋などによる認証を行わなければ操作ができなくするロック機能を設け、セキュリティの確保を図ることが行われている。下記特許文献１には、所定の暗証コードを入力して設定を解除しない限り操作部に対する操作の少なくとも一部を無効化するロック機能を備えた携帯端末装置が開示されている。例えば、通信装置のカメラ機能の不正使用を防止するために、組織が従業者に業務上使用させる通信装置のカメラ機能を上記と同様にロックすることができる。
また、他のカメラ機能を使用制限する方法として、盗撮を防止する為にカメラのレンズ部分を封印するシールが存在する。
【先行技術文献】
【特許文献】
【０００５】
【特許文献１】特開２００５−２６７３０号公報
【発明の概要】
【発明が解決しようとする課題】
【０００６】
しかし、恒常的にカメラ機能を使用禁止にしてしまうことは必ずしも適切ではない。例えば、大地震や津波、火災などの災害発生時には、従業者が現場の状況を撮影し、被災状況を記録に残したり上司に報告したりすることが望まれる場合がある。通信装置のカメラ機能を所持者がロック解除できない方法でロックされていると、そのような非常事態に遭遇しても撮影できないという問題が生じる。また、封印シールについては、非常事態のときには剥がして撮影可能であるが、悪意ある使用者が平常時に剥がして不正に撮影を行うことまでは防止できない。また非常事態に一旦剥がしてしまうと、新たな封印シールを貼り直すまで不正使用を抑止できないという問題がある。
【０００７】
本発明は、通信装置でのカメラ機能の不正使用のおそれを低減しつつ緊急時には撮影可能とすることを目的とする。
【課題を解決するための手段】
【０００８】
本発明に係る通信装置は、通信回線を介して他の移動体通信装置および災害情報配信装置と通信する移動体通信機能を有する通信部と、所定範囲を撮影して画像を取得し、当該画像を記録する撮影機能を有する画像取得部と、通常は前記撮影機能が制限された制限モードに設定し、前記災害情報配信装置から災害情報を受信したとき当該制限が解除された解除モードに切り替えるモード設定部と、を備えることを特徴とする。
【０００９】
上記の通信装置において、更に、前記受信した災害情報が前記制限の解除対象の特定災害を示す情報か否かを判定する災害判定部を有し、前記モード設定部は、前記災害情報が前記災害判定部にて前記特定災害と判定されたとき前記制限モードから前記解除モードに切り替える。
【００１０】
上記の通信装置において、前記モード設定部は、前記解除モードに切り替えてから予め定めた所定時間が経過すると前記解除モードから前記制限モードへ切り替える。
更に、災害情報の内容に応じた所定時間を記憶する記憶部を有し、前記モード設定部は、前記解除モードに切り替えてから、前記受信した災害情報の内容に応じた所定時間が経過すると前記解除モードから前記制限モードへ切り替える。
【００１１】
上記の通信装置において、前記通信部は、更に通信回線を介してセンタ装置と通信し、前記モード設定部は、前記災害情報を受信して前記解除モードに設定するとともに前記センタ装置へ災害受信情報を送信し、前記センタ装置からモード復帰信号を受信すると前記解除モードから前記制限モードへ切り替える。
【００１２】
また、本発明に係る通信システムは、移動体通信機能を備えた通信装置と、前記通信装置と通信可能なセンタ装置とを含む通信システムにおいて、前記通信装置は、通信回線を介して前記センタ装置、他の移動体通信装置および災害情報配信装置と通信する通信機能を有する通信部と、所定範囲を撮影して画像を取得し、当該画像を記録する撮影機能を有する画像取得部と、通常は前記撮影機能が制限された制限モードに設定し、前記災害情報配信装置から災害情報を受信したとき当該制限が解除された解除モードに切り替えるとともに前記センタ装置へ災害受信情報を送信するモード設定部と、を備え、前記センタ装置は、前記通信回線を介して前記通信装置と通信する通信部と、前記通信装置から前記災害受信情報を受信すると、当該通信装置を特定する装置情報を表示部に表示させる制御部と、を備えることを特徴とする。
【００１３】
さらに、本発明に係る通信システムは、移動体通信機能を備えた通信装置と、前記通信装置と通信可能なセンタ装置とを含む通信システムにおいて、前記通信装置は、通信回線を介して前記センタ装置および他の移動体通信装置と通信する通信機能を有する通信部と、所定範囲を撮影して画像を取得し、当該画像を記録する撮影機能を有する画像取得部と、通常は前記撮影機能が制限された制限モードに設定し、前記センタ装置からモード切替信号を受信したとき当該制限が解除された解除モードに切り替えるモード設定部と、を備え、前記センタ装置は、前記通信回線を介して前記通信装置および災害情報配信装置と通信する通信部と、前記災害情報配信装置から災害情報を受信すると、当該災害情報が示すエリアに所在する前記通信装置に前記モード切替信号を送信する制御部と、を備えることを特徴とする。
【００１４】
また、本発明に係る通信制御プログラムは、撮影機能を有する撮像部および移動体通信機能を有する通信部を備えた通信装置に実行させるプログラムであって、通信回線を介して災害情報配信装置から配信された災害情報を受信する処理と、通常は前記撮影機能が制限された制限モードに設定し、前記災害情報配信装置から災害情報を受信したとき当該制限が解除された解除モードに切り替える処理と、を少なくとも実行させることを特徴とする。
【００１５】
さらに、本発明に係る通信制御方法は、撮影機能を有する撮像部および移動体通信機能を有する通信部を備えた通信装置における通信制御方法であって、前記撮影機能が制限された制限モードと前記制限が解除された解除モードとを選択的に設定し、通常は前記制限モードに設定し、通信回線を介して災害配信装置から災害情報を受信したとき前記制限モードから前記解除モードに切り替える、ことを含むことを特徴とする。
【発明の効果】
【００１６】
本発明によれば、通常時は通信装置の撮影機能を制限することでカメラの不正使用を抑制することができ、災害発生時にはその制限を一時的に解除するため、利用者は災害状況を撮影し、画像による記録や報告を行うことができる。
【図面の簡単な説明】
【００１７】
【図１】本発明の実施形態である通信システムの概略の構成を示す模式図である。
【図２】本発明の実施形態における通信装置の概略の構成を示すブロック図である。
【図３】本発明の実施形態におけるセンタ装置の概略のブロック構成図である。
【図４】通信装置により実行されるカメラ制御モードの設定処理を示す概略のフローチャートである。
【発明を実施するための形態】
【００１８】
図１は、本発明の実施形態である通信システムの概略の構成を示す模式図である。当該システムは、通信装置２，４、センタ装置６及び通信網８を含んで構成される。通信装置２はカメラ機能の不正使用防止に係る本発明の特徴を有した通信装置であり、本実施形態ではその所持者は警備会社の警備員１０であるとする。通信装置２は、通常時はカメラ機能が制限され、不正撮影の防止が図られている。カメラ機能の制限は、カメラ機能自体の動作を禁止する、或いはカメラ機能を使って撮影した画像の記録を禁止することで達せられる。これにより、警備員１０は通信装置２のカメラ機能を使用して画像を不正取得することができなくなる。
【００１９】
しかし、例えば大地震など各種の災害が発生した状況では、警備会社は警備員１０がいる被災地域の状況を把握する必要がある。このため、通信装置２は通信網８に接続された災害情報配信装置９から災害情報を受信すると、一時的にカメラ機能の撮影制限を解除し、警備員１０が被災地域の状況を撮影し、これを記録したり送信したりすることを許可する。
なお、通信装置４は通信装置２の通信相手を例示したものであり、必ずしも本発明の特徴を有した通信装置である必要はない。
【００２０】
通信装置２，４は移動体通信機能を有する。例えば、通信装置２，４はスマートフォン、タブレット型コンピュータや携帯電話である。通信装置２，４はその近傍の移動体通信基地局１６と無線接続され、移動体通信基地局１６及び通信網８を介して他の通信端末等と通信することができる。
【００２１】
災害情報配信装置９は、災害情報の配信プロバイダ（携帯電話の通信事業者などの災害情報配信サービスを提供する事業者）が管理する装置である。なお、以下の本実施形態では、配信プロバイダが災害情報として緊急地震速報を配信する例について説明するが、本発明の範囲はこれに限定されるものではない。本発明の災害情報として、例えば、津波予測の情報、台風や竜巻に関する警報、火災に関する情報、避難勧告に関する情報など、種々の災害に関する情報が適用され得る。
【００２２】
この災害情報配信装置９は、地震発生時に気象庁などの機関により解析された地震震源地と規模（マグニチュード）などの情報を受信すると、その地震の影響が及ぶ地域（例えば震度３以上と予測される地域）の移動体通信基地局１６から、この地震の情報を緊急地震速報として一斉同報で配信する機能を備えている。これにより、配信対象の移動体通信基地局１６の通信エリアに存在する通信装置２、４に緊急地震速報が送達される。
【００２３】
なお、この例では、地震の影響及び地域の通信装置２、４にのみ緊急地震速報が配信される場合について説明するが、本発明の範囲はこれに限定されるものではない。例えば、災害情報配信装置９は、すべての通信装置２、４に対して緊急地震速報を配信し、通信装置２、４にて自己の位置情報から地震の影響が及ぶ地域であるか否かを判定してもよい。このような緊急地震速報など災害情報の配信方法については、既に広く知られるところであるので、ここでは詳細な説明を省略する。
【００２４】
次に、本発明の通信制限機能を有した通信装置２について詳細に説明する。図２は、通信装置２の概略の構成を示すブロック図である。通信装置２は、制御部２０、記憶部２２の他、無線部２４、操作部２６、カメラ２８、マイクロフォン３０、スピーカー３２、表示部３４、振動モータ３６を含んで構成される。
【００２５】
無線部２４は、基地局通信部及びＧＰＳ受信部を含んで構成される。基地局通信部は、移動体通信基地局１６との間で無線通信を行う移動体通信部であり、通信装置２は基地局通信部により移動体通信基地局１６及び通信網８を介して監視センタ１４のセンタ装置６や他の通信装置４、災害情報配信装置９と通信を行うことができる。ＧＰＳ受信部はＧＰＳ衛星からＧＰＳ信号を受信して、自己の現在位置に応じたＧＰＳ情報を取得する。
【００２６】
操作部２６は、警備員１０が通信装置２の動作を選択したり制御部２０に指示を与えるための入力手段であり、例えば、各種ボタンスイッチやタッチパネルなどから構成される。
【００２７】
カメラ２８は、操作部２６の操作に応じて人物や風景等の被写体を撮像する撮像部である。
マイクロフォン３０は、音声通信時等に警備員１０の声等を集音する集音部である。
スピーカー３２は、音声通信時において通話相手（通信装置４を所持する第三者）側の音声を出力したり、着信があった場合や電子メールを受信した場合に、呼び出し音を出力したりする音声出力部である。
表示部３４は液晶ディスプレイ等の画像表示手段である。
振動モータ３６は通信装置２を振動させるバイブレータ機能を提供する。
【００２８】
無線部２４、操作部２６、カメラ２８、マイクロフォン３０、スピーカー３２、表示部３４及び振動モータ３６は制御部２０に接続され、制御部２０からの信号を受けて動作したり、制御部２０へ信号を出力したりする。
【００２９】
記憶部２２は、ＲＯＭ（Read Only
Memory）、ＲＡＭ（Random Access
Memory）等のメモリ装置で実現され、制御部２０にて実行される各種プログラムやそれに必要なデータを格納する。特に、記憶部２２には災害基準情報５０及びセンタ装置アドレス情報５２が予め登録されている。災害基準情報５０は、通信装置２における発信制限を解除する対象の災害（以下、特定災害という）を定義する情報であり、災害判定手段４２が配信された災害情報に示される災害が特定災害であるか否か利用する。緊急地震速報を対象とする場合、例えば、解除対象の基準震度として震度４以上を設定しておく。センタ装置アドレス情報５２は、センタ装置６の電話番号又はＩＰアドレスであり、センタ装置６との通信に利用される。また、記憶部２２には、カメラ２８で撮影され保存を指示された画像データ５４を記憶する領域が設けられている。
【００３０】
制御部２０は、マイクロプロセッサ等を用いて構成され、実行されるプログラムに応じて各種の処理を行う。例えば、制御部２０は、通信制御手段４０、カメラ制御手段４１、災害判定手段４２、モード設定手段４４及び画像保護手段４６として機能する。
【００３１】
通信制御手段４０は、無線部２４と共に音声通信機能やインターネット接続機能を担う通信部を構成する。具体的には、音声通信では通話相手の通信端末（通信装置）との間の回線接続を確立し、マイクロフォン３０にて電気信号に変換された音声信号を通信制御手段４０を経由して無線部２４に入力して、無線部２４にて無線信号に変換された音声信号を移動体通信基地局１６へ送信する。また、移動体通信基地局１６から受信した無線信号は無線部２４にて検波され、通信制御手段４０は取り出された音声信号を入力し、音声出力回路を経由してスピーカー３２から出力させる。
【００３２】
カメラ制御手段４１は、カメラ２８と共に撮像部を構成し、カメラ２８の動作を制御する。例えば、使用者が操作部２６を操作してカメラ機能を起動すると、カメラ制御部４１はカメラ２８を構成する固体撮像素子を駆動して撮像させ、カメラ２８から画像信号を取り込み、表示部３４に入力画像を表示する。またシャッター操作がなされると、カメラ制御手段４１は、入力画像をキャプチャしてバッファするとともに表示部３４にキャプチャ画像を表示し、さらに保存操作がなされるとキャプチャ画像を記憶部２２の画像データ５４領域に書き込み記録する。
【００３３】
また、カメラ制御手段４１は、モード設定手段４４にて設定されているカメラ制御モードに従い、カメラ２８を使用した撮影機能を制限する。カメラ制御手段４１は、操作部２６を介してカメラ機能の起動操作がなされたとき、制限モードが設定されている場合には、この起動操作を無視してカメラ２８を起動させない。一方、解除モードが設定されている場合には、撮影機能を制限せず、入力された操作に従って撮影・記録処理を実行する。なお、カメラ機能を制限する方法として、カメラ機能の起動操作を無効化してカメラ２８の起動を禁止するのに代えて、カメラ機能のアプリケーションプログラム自体の起動を禁止、シャッター操作の無効化によりキャプチャを禁止、または保存操作を無効化して記憶部２２へのキャプチャ画像の記録を禁止する構成としてもよい。
【００３４】
災害判定手段４２は、災害情報配信装置９から配信された災害情報を無線部２４を介して受信すると、記憶部２２の災害基準情報５０を参照して、受信した災害情報が特定災害に該当するか否か判定する。具体的には、災害基準情報５０に基準震度４以上が設定されている場合、受信した緊急地震速報が例えば震度５弱を示すときは特定災害であると判定し、震度３を示すときは特定災害ではないと判定する。
【００３５】
モード設定手段４４は、使用者による撮影の拒否についてのモードを設定する。設定されるカメラ制御モードは２種類あり、１つはカメラ機能を制限するモードとして撮影を禁止する制限モード、もう１つは撮影制限が解除され撮影を許可する解除モードである。モード設定手段４４は、通常は通信装置２を制限モードに設定し、特定災害を示す災害情報を受信すると、一時的に解除モードに切り替える。
モード設定手段４４は、特定災害を示す災害情報を受信して解除モードに切り替える際、記憶部２２のセンタ装置アドレス情報５２を参照し、センタ装置６に災害受信情報を送信する。この災害受信情報には受信した災害情報の内容が含まれる。
【００３６】
モード設定手段４４は、カメラ制御モードを制限モードから解除モードに切り替えてからの経過時間をカウントし、予め設定された解除時間が経過すると、自動的に解除モードから制限モードに再び切り替える。また、解除時間が経過する前に、センタ装置６からモード復帰信号を受信するとカメラ制御モードを制限モードに切替設定する。さらに、災害情報配信装置９から配信済みの災害情報に対して訂正災害情報が配信され、この訂正災害情報が特定災害を示すものではなかった場合、カメラ制御モードを制限モードに切替設定する。
【００３７】
画像保護手段４６は、使用者が通信装置２を操作して、カメラ２８で撮影された画像データ５４を記憶部２２から消去したり、他の記録媒体へコピーや移動させたりすることを禁止する。また、画像保護手段４６は、例えばセンタ装置６など予め設定された送信先以外への送信メールに画像データを添付することを禁止する。なお、画像保護手段４６による画像データの保護機能は、カメラ制限モードが解除モードに設定されている場合でも制限解除されない。
【００３８】
次に、センタ装置６について詳細に説明する。センタ装置６は、警備会社などが監視区域を監視するために運営する監視センタ１４に設置される。この他、センタ装置６は警備員１０を派遣する警備本部、警備員１０に遠隔から指示を出すための指令本部、大型ビル内の防災センターに設けられた防災本部など、警備員１０の管理を行う施設に設置されてもよい。
【００３９】
図３はセンタ装置６の概略のブロック構成図である。センタ装置６は、通信部６０、表示部６２、操作部６４、記憶部６６、制御部６８を含んで構成される。
通信部６０は、通信網８に接続され、警備員１０が携行する通信装置２との通信を行う。
表示部６２は、液晶ディスプレイなどの表示装置や、ブザー、ＬＥＤ等で構成される。
操作部６４は、キーボード、マウスなどの入力装置で構成される。
【００４０】
記憶部６６は、ＲＯＭ、ＲＡＭ等のメモリ装置で実現され、制御部６８にて実行される各種プログラムやそれに必要なデータを格納する。特に、記憶部６６は災害報告情報７０を記憶する。災害報告情報７０は、災害受信情報を送信した通信装置２のアドレス情報（電話番号、ＩＰアドレス、または使用者である警備員に関する情報）、災害の内容（震度など）、災害受信情報の受信時刻をそれぞれ対応付けた情報である。
【００４１】
制御部６８は、マイクロプロセッサ等を用いて構成され、実行されるプログラムに応じて各種の処理を行う。制御部６８は、通信部６０を介して通信装置２が送信した災害受信情報を受信すると、災害受信情報から読み取った災害内容および受信時刻を送信元の通信装置２のアドレス情報と関連付け、災害報告情報７０として記憶部６６に記憶させる。災害受信情報を送信した通信装置２ごとの災害報告情報は、予め設定された解除時間が経過した時点で自動的に消去される。なお、通信装置２から制限モードに復帰した旨の信号を受信する構成として、この信号を受信した時点で該当する通信装置２に関する災害報告情報を消去してもよい。
【００４２】
また、制御部６８は、災害報告情報７０に基づき、少なくとも災害受信情報を送信した通信装置２が特定可能な画面情報を生成して表示部６２に表示させる。これにより、どの警備員１０が被災地域にいるか、どの通信装置２が撮影制限を解除された状態にあるかを監視センタ１４の監視員が確認できるようにする。災害表示画面を確認した監視員は、被災地域の状況を把握するために、被災地域にいる通信装置２に対して周囲を撮影した画像を電子メールで報告する旨の指示を配信したり、また、他の警備員が携行している通信装置２に連絡して被災地域の警備員１０の元に他の警備員を派遣するなど状況に応じた適切なオペレーションを行う。また、制御部６８は、災害報告情報７０に含まれる通信装置２から被災状況の報告を受けた後、或いは監視員による操作に応じて、通信装置２に対してモード復帰信号を送信する。
【００４３】
次に、図４を用いて、通信装置２におけるカメラ制御モードの設定処理の流れを説明する。図４は、通信装置２の制御部２０により実行されるカメラ制御モードの設定処理を示す概略のフローチャートである。
上述したように、通信装置２のカメラ制御モードは、通常時は制限モードに設定されている。災害情報配信装置９から配信された災害情報を受信したとき、以下の処理を実行する。
【００４４】
通信装置２は、災害情報を受信すると、その災害情報が発信制限の解除対象として定められた特定災害を示しているか否か判定する（Ｓ１００）。特定災害を示していない場合、制限モードを維持して本処理を終了する。
特定災害を示す災害情報を受信した場合、通信装置２は、カメラ制御モードを制限モードから解除モードに切り替えて撮影制限を解除し（Ｓ１０２）、災害受信情報をセンタ装置６へ送信する（Ｓ１０４）。
【００４５】
通信装置２は災害受信情報を送信すると、所定時間を計時するタイマを起動して解除モードが設定されてからの経過時間を計時開始する（Ｓ１０６）。例えば、タイマの計時時間（解除時間）は１２０分に設定される。そして、設定された解除時間が経過するまでの間、災害情報配信装置９から発信される訂正災害情報の受信、およびセンタ装置６から送信されるモード復帰信号の受信を待機する（Ｓ１０８〜Ｓ１１２）。
【００４６】
解除時間が経過するまでに災害情報配信装置９から訂正災害情報を受信し、その災害情報の内容が特定災害でないことを示す場合（Ｓ１０８のＹｅｓ）、カメラ制御モードを解除モードから制限モードに復帰する（Ｓ１１４）。また、センタ装置６から解除時間が経過するまでにモード復帰信号を受信すると（Ｓ１１０のＹｅｓ）、カメラ制御モードを制限モードに復帰する（Ｓ１１４）。
訂正災害情報およびモード復帰信号を受信することなく、解除モードに切り替えてから解除時間が経過すると（Ｓ１１２のＹｅｓ）、カメラ制御モードを制限モードに復帰する（Ｓ１１４）。通信装置２は、解除モードから制限モードに切替設定すると本処理を終了する。
【００４７】
以上に説明したように、本実施形態の通信システムに用いられる通信装置２は、通常時は撮影機能が制限され、特定の災害情報を受信した場合には制限が解除されてカメラ機能による撮影を行うことができる。このため、通常時は不用意な私的撮影や不正の意思の有無にかかわらず秘密情報を撮影してしまうことを抑制しつつ、災害発生時には被災状況の画像による記録や報告を行うことができる。
【００４８】
なお、本発明の通信装置および通信システムは上記実施形態に限定されるものではなく、様々な変形例が適用可能である。
例えば、モード設定手段４４は、解除モードに設定後、センタ装置６に対する画像を添付した電子メールの送信を検知したタイミングで禁止モードへの復帰を行う構成とすることもできる。また、タイマを用いる構成において、設定された解除時間が経過するか、上記電子メール送信完了のいずれか先のタイミングで制限モードへの復帰を行ってもよい。
【００４９】
また、上記実施形態では、受信した災害情報が特定災害を示す場合に解除モードに切り替える構成としたが、災害情報の内容にかかわらず解除モードに切り替える構成とすることもできる。この場合、図４のフローチャートにおいてＳ１００の判定処理は省略される。
また、災害情報配信装置９から受信した災害情報の種類や災害レベルに応じて、解除モードに設定する期間を異ならせてもよい。例えば、緊急地震速報が示す内容が震度３のときは１０分、震度４のときは３０分、震度５弱のときは６０分、震度５強以上のときは１２時間とする。また、台風警報のときは１２０分、竜巻警報のときは６０分、避難勧告のときは１８０分とする。この場合、通信装置２は、災害内容に応じた解除時間を記憶部５０に記憶しておき、災害判定手段４２は、受信した災害情報がいずれの特定災害に該当するかを判定する。そして、モード設定手段４４は、判定された特定災害の内容に応じた解除時間を計時し、解除モードに切り替えてからその解除時間が経過した時点で制限モードに復帰する。
【００５０】
また、上記実施形態において、解除モードの終了条件に災害情報の訂正を考慮しなくてもよい。この場合、図４のフローチャートにおいてＳ１０８の処理が省略される。
さらに、センタ装置６からのモード復帰信号の受信、および解除時間の経過の一方のみを用いる構成としてもよい。モード復帰信号を用いず解除時間のみで復帰する構成とする場合、図４のフローチャートにおいてＳ１１０の処理が省略され、モード復帰信号のみで復帰する構成とする場合、図４のフローチャートにおいてＳ１１２の処理が省略される。
【００５１】
また、通信装置２にて解除時間を計時する構成に代えて、センタ装置６にて解除時間を計時する構成とすることもできる。この場合、センタ装置６は、通信装置２から災害受信情報を受信してから所定の解除時間が経過すると、その通信装置２に対してモード復帰信号を送信する。通信装置２との接続を試みて話中であるなど接続に失敗した場合は、センタ装置６は所定時間間隔でモード復帰信号の送信を繰り返して試みる。通信装置２は、モード復帰信号を受信すると解除モードから制限モードへ切り替える。なお、この構成では、センタ装置６は解除モードの制限時間を、例えば、一日のうちの時間帯に応じて異なる長さに設定することができる。
【００５２】
また、通信装置２は、制限モードから解除モードに切替設定したとき、表示部３４に解除時間を表示する構成としてもよい。これにより、警備員１０は与えられた撮影許可時間を認識し、当該時間内に被災状況の撮影や画像の記録・送信等を終了するように留意することができる。
【００５３】
さらに、本実施形態では通信装置２での撮影にかかる画像や撮影時刻等の画像データは記憶部２２に記録され、改竄されないよう画像保護部４６で保護されるが、これら画像データをさらにセンタ装置６において記録してもよい。この構成では、例えば、撮影した画像の記憶部２２への記録が終了すると、その撮影画像に関する画像データをセンタ装置６へ送信し、センタ装置６は当該画像データを記憶部６６に記録する。なお、通信装置２が解除モードから制限モードに復帰したタイミングで、通信装置２からセンタ装置６へ解除モード中に撮影した画像に関する画像データを送信し、センタ装置６で災害報告情報と対応付けて当該画像データを記録する構成とすることもできる。これにより、監視センタ１４では解除モード中に通信装置２で撮影された画像を一括して災害報告情報と関連付けて記録できる。
【００５４】
また、通信装置２は許可モードに設定されている期間中、連続して、又は断続的にスピーカー３２から音を発生させたり、振動モータ３６を駆動して振動を発生させたりする構成とすることもできる。このように構成することで、警備員１０はカメラ機能の制限が解除されている状態であることを認識することができる。
【００５５】
また、上記実施形態では、災害情報配信装置９からの災害情報を通信装置２が受信する例について説明したが、これに限らず、センタ装置６にて災害情報を受信するようにしてもよい。この場合、センタ装置６の制御部６８は、通信部６０を介して受信した災害情報が特定の災害情報か否かを判定し、特定の災害情報であれば、その災害情報に示される被災地域（エリア）に所在する警備員１０が持つ全ての通信装置２に対し、カメラ制御モードを解除モードにするようモード切替信号を送信する。例えば、センタ装置６は、警備員１０の管轄エリアを通信装置２と関連付けて予め登録しておき、受信した災害情報が示す被災地域に該当する管轄エリアを判定する。そして、抽出した管轄エリアに関連付けられた通信装置２に対してモード切替信号を送信する。或いは、ＧＰＳ等を利用して全ての通信装置２の位置情報をセンタ装置６が管理し、受信した災害情報が示す被災地域およびその隣接地域に現在位置が含まれる通信装置２を判定し、該当する通信装置２に対してモード切替信号を送信するようにしてもよい。
【００５６】
なお、上記に説明した実施形態では、通信装置２からの発信を制限する例について説明したが、110番（警察）・118番（海上保安）・119番（消防）などのいわゆる緊急特番については例外として無条件に発信を可能としてよい。
【符号の説明】
【００５７】
２，４  通信装置、６  センタ装置、８  通信網、９  災害情報配信装置、１０  警備員、１４  監視センタ、１６  移動体通信基地局、２０  制御部、２２  記憶部、２４  無線部、２６  操作部、２８  カメラ、３０  マイクロフォン、３２  スピーカー、３４  表示部、３６  振動モータ、４０  通信制御手段、４１  カメラ制御手段、４２  災害判定手段、４４  モード設定手段、４６  画像保護手段、５０  災害基準情報、５２  センタ装置アドレス情報、５４  発信履歴、６０  通信部、６２  表示部、６４  操作部、６６  記憶部、６８  制御部、７０  災害報告情報
【図１】
2014107830.tif 000003
【図２】
2014107830.tif 000004
【図３】
2014107830.tif 000005
【図４】
2014107830.tif 000006